(57)【要約】【課題】搬送経路上を複数列となって搬送されてくるＲＦ−ＩＤメディアから情報を読み取る場合に、読み取り対象となるＲＦ−ＩＤメディアに隣接するＲＦ−ＩＤメディアからも情報を読み取ってしまうことを回避する。【解決手段】搬送経路５０上を５列となって搬送されてくるＩＣタグ６０から情報を読み取る構成において、搬送経路５０上に設けられ、ＩＣタグ６０の搬送列毎に、１つのＩＣタグ６０のみが表出する孔部４１ａ〜４１ｅが形成されたシールド板４０と、ＩＣタグ６０の搬送列毎に孔部４１ａ〜４１ｅに対向して設けられ、孔部４１ａ〜４１ｅを介してＩＣタグ６０から情報を読み取るリーダ／ライタ１０ａ〜１０ｅとを有し、孔部４１ａ〜４１ｅが千鳥状に形成されている。【選択図】図１
2013210823.tif 000002
【特許請求の範囲】
【請求項１】
搬送経路上を複数列となって搬送されてくるＲＦ−ＩＤメディアから情報を読み取る情報読取装置であって、
前記搬送経路上に設けられ、前記ＲＦ−ＩＤメディアの搬送列毎に、１つのＲＦ−ＩＤメディアのみが表出する孔部が形成されたシールド部材と、
前記ＲＦ−ＩＤメディアの搬送列毎に前記孔部に対向して設けられ、前記孔部を介して前記ＲＦ−ＩＤメディアから情報を読み取る読取手段とを有し、
前記孔部が、隣接する搬送列に対応する孔部に対して前記ＲＦ−ＩＤメディアの搬送方向にずれて形成されている情報読取装置。
【請求項２】
請求項１に記載の情報読取装置において、
前記読取手段における情報の読み取り動作を制御する制御手段を有し、
前記制御手段は、前記読取手段毎に、当該搬送列の先頭となって搬送されてくるＲＦ−ＩＤメディアが前記孔部から表出するタイミングまで情報の読み取り動作を実行しない情報読取装置。
【請求項３】
請求項１または請求項２に記載の情報読取装置において、
前記ＲＦ−ＩＤメディアが前記搬送経路上を３列以上となって搬送されてくる構成を有し、
前記孔部が、千鳥状に形成されている情報読取装置。
【発明の詳細な説明】
【技術分野】
【０００１】
本発明は、ＲＦ−ＩＤメディアから情報を読み取る情報読取装置に関し、特に、搬送経路上を複数列となって搬送されてくるＲＦ−ＩＤメディアから情報を読み取る情報読取装置に関する。
【背景技術】
【０００２】
近年、情報化社会の進展に伴って、情報をタグやラベルに記録し、該タグやラベルを商品等に添付して商品等の管理が行われている。このようなタグやラベルを用いた商品等の管理においては、非接触状態にて情報の書き込み及び読み出しを行うことが可能なＩＣが搭載された非接触型ＩＣタグや非接触型ＩＣラベルがその優れた利便性から急速な普及が進みつつある。
【０００３】
このような非接触型ＩＣタグや非接触型ＩＣラベルといったＲＦ−ＩＤメディアにおいては、製品として出荷される前に検査手段となるリーダ／ライタによって電波を用いてＲＦ−ＩＤメディアから情報を読み取ることにより、良品／不良品の検査が行われている。その際、ＲＦ−ＩＤメディアが列をなして搬送されてくる場合、列の前後のＲＦ−ＩＤメディアからも情報を読み取ってしまうことがある。また、アンチコリジョン機能によって複数のＲＦ−ＩＤメディアから情報を同時に読み取ることで通信性能が劣化してしまう虞れがある。ＲＦ−ＩＤメディアは、リーダ／ライタを指定して電波を受けるという動作を行うことはできないため、特定のリーダ／ライタからの電波のみを受ける環境を構築する必要がある。また、リーダ／ライタにおいても、ＲＦ−ＩＤメディアを指定して通信することはできないため、検査対象となるＲＦ−ＩＤメディアのみから情報を読み取ることができる環境を構築する必要がある。
【０００４】
そこで、ＲＦ−ＩＤメディアが列をなして搬送されてくる場合に、列の前後のＲＦ−ＩＤメディアからも情報を読み取ってしまうことを回避するために、情報の読み取り対象となるＲＦ−ＩＤメディアのみが表出するような孔部が形成されたシールド部材が用いられている（例えば、特許文献１参照）。
【０００５】
ここで、上述したようなＲＦ−ＩＤメディアの検査を効率的に行うために、ＲＦ−ＩＤメディアを複数列で搬送しながら検査を行う方法が採られている。
【０００６】
図５は、ＲＦ−ＩＤメディアを複数列で搬送しながら検査を行う方法の一例を説明するための図である。
【０００７】
図５に示すように、搬送経路１５０上を５列になって搬送されてくるＩＣタグ１６０に対して検査を行う場合は、上述したように、列の前後のＲＦ−ＩＤメディアからも情報を読み取ってしまうことがないように２つのシールド板１４０ａ，１４０ｂを用意する。そして、この２つのシールド板１４０ａ，１４０ｂを、ＩＣタグ１６０の搬送方向にＩＣタグ１６０の１つ分の間隔を離して配置することで、５列のそれぞれについて１つずつのＩＣタグ１６０のみから情報を読み取ることができるようになる。
【先行技術文献】
【特許文献】
【０００８】
【特許文献１】特開２００３−１６８０９８号公報
【発明の概要】
【発明が解決しようとする課題】
【０００９】
しかしながら、図５に示したような方法においては、列の前後のＩＣタグ１６０から情報を読み取ってしまうことを回避することができるものの、隣接する列のＩＣタグ１６０からの情報も読み取ってしまう虞れがある。
【００１０】
本発明は、上述したような従来の技術が有する問題点に鑑みてなされたものであって、搬送経路上を複数列となって搬送されてくるＲＦ−ＩＤメディアから情報を読み取る場合に、読み取り対象となるＲＦ−ＩＤメディアに隣接するＲＦ−ＩＤメディアからも情報を読み取ってしまうことを回避できる情報読取装置を提供することを目的とする。
【課題を解決するための手段】
【００１１】
上記目的を達成するために本発明は、
搬送経路上を複数列となって搬送されてくるＲＦ−ＩＤメディアから情報を読み取る情報読取装置であって、
前記搬送経路上に設けられ、前記ＲＦ−ＩＤメディアの搬送列毎に、１つのＲＦ−ＩＤメディアのみが表出する孔部が形成されたシールド部材と、
前記ＲＦ−ＩＤメディアの搬送列毎に前記孔部に対向して設けられ、前記孔部を介して前記ＲＦ−ＩＤメディアから情報を読み取る読取手段とを有し、
前記孔部が、隣接する搬送列に対応する孔部に対して前記ＲＦ−ＩＤメディアの搬送方向にずれて形成されている。
【００１２】
上記のように構成された本発明においては、ＲＦ−ＩＤメディアが搬送経路上を複数列となって搬送されてくると、搬送経路上にてＲＦ−ＩＤメディアの搬送列毎に設けられた読取手段においてＲＦ−ＩＤメディアから情報が読み取られる。この際、搬送経路上には、ＲＦ−ＩＤメディアの搬送列毎に１つのＲＦ−ＩＤメディアのみが表出する孔部が形成されたシールド部材が設けられており、読取手段がＲＦ−ＩＤメディアの搬送列毎に孔部に対向して設けられており、読取手段において、孔部を介してＲＦ−ＩＤメディアから情報が読み取られることになる。そして、孔部が、隣接する搬送列に対応する孔部に対してＲＦ−ＩＤメディアの搬送方向にずれて形成されていることにより、読み取り対象となるＲＦ−ＩＤメディアに隣接するＲＦ−ＩＤメディアから情報を読み取ってしまうことが回避される。
【００１３】
また、読取手段における情報の読み取り動作を制御する制御手段において、読取手段毎に、その読取手段に対応する搬送列の先頭となって搬送されてくるＲＦ−ＩＤメディアが孔部から表出するタイミングまで情報の読み取り動作を実行しないようにすれば、上述したように、搬送経路上を複数列となって搬送されてくるＲＦ−ＩＤメディアに対して、ＲＦ−ＩＤメディアの搬送方向にずれたポイントで情報が読み取られた場合であっても、搬送列毎に、１番目に搬送されてくるＲＦ−ＩＤメディアからは、その搬送列に対応する読取手段における１回目の読み取り動作にて情報が読み取られ、２番目に搬送されてくるＲＦ−ＩＤメディアからは、その搬送列に対応する読取手段における２回目の読み取り動作にて情報が読み取られるというように読み取り動作が実行されることになり、搬送列間にて、読取手段における情報の読み取り順序と搬送経路上の搬送順序とを合わせることができ、それにより、搬送列毎の整合性を保つことができる。
【００１４】
また、ＲＦ−ＩＤメディアが搬送経路上を３列以上となって搬送されてくる構成において、孔部が千鳥状に形成されていれば、搬送列が異なるＲＦ−ＩＤメディアについても、読取手段にて情報が読み取られる際に表出する孔部が、ＲＦ−ＩＤメディアの搬送方向に直交する方向に並んでいるものが存在することになり、それにより、シールド部材のＲＦ−ＩＤメディアの搬送方向の長さを、ＲＦ−ＩＤメディアの列数分とすることがなく、装置が大型化してしまうことがない。
【発明の効果】
【００１５】
以上説明したように本発明においては、搬送経路上を搬送されてくるＲＦ−ＩＤメディアと読取手段との間に介在するシールド部材にＲＦ−ＩＤメディアの搬送列毎に形成された孔部が、隣接する搬送列に対応する孔部に対してＲＦ−ＩＤメディアの搬送方向にずれて形成されている構成としたため、搬送経路上を複数列となって搬送されてくるＲＦ−ＩＤメディアから情報を読み取る場合に、読み取り対象となるＲＦ−ＩＤメディアに隣接するＲＦ−ＩＤメディアから情報を読み取ってしまうことを回避できる。
【００１６】
また、読取手段における情報の読み取りの実行を制御する制御手段において、読取手段毎に、その読取手段に対応する搬送列の先頭となって搬送されてくるＲＦ−ＩＤメディアが孔部から表出するタイミングまで情報の読み取り動作を実行しない構成とすることにより、搬送経路上を複数列となって搬送されてくるＲＦ−ＩＤメディアに対して、ＲＦ−ＩＤメディアの搬送方向にずれたポイントで情報が読み取られた場合であっても、搬送列間にて、読取手段における情報の読み取り順序と搬送経路上の搬送順序とを合わせることができ、それにより、搬送列毎の整合性を保つことができる。
【００１７】
また、ＲＦ−ＩＤメディアが搬送経路上を３列以上となって搬送されてくる構成において、孔部が千鳥状に形成されているものにおいては、搬送列が異なるＲＦ−ＩＤメディアについても、読取手段にて情報が読み取られる際に表出する孔部が、ＲＦ−ＩＤメディアの搬送方向に直交する方向に並んでいるものが存在することになり、それにより、シールド部材のＲＦ−ＩＤメディアの搬送方向の長さを、ＲＦ−ＩＤメディアの列数分とすることがなく、装置が大型化してしまうことがない。
【図面の簡単な説明】
【００１８】
【図１】本発明の情報読取装置の実施の一形態を示す図であり、（ａ）は全体の構成を示す図、（ｂ）は（ａ）に示したシールド板に形成された孔部の位置を示す図である。
【図２】図１に示した情報読取装置の詳細な動作を説明するための図である。
【図３】図１に示したリーダ／ライタにおけるタグＩＤの読み取りタイミングを示す図である。
【図４】図１に示した情報読取装置におけるＩＣタグからのタグＩＤの読み取り結果を示す図である。
【図５】ＲＦ−ＩＤメディアを複数列で搬送しながら検査を行う方法の一例を説明するための図である。
【図６】本発明の情報読取装置の他の実施の形態を示す図である。
【発明を実施するための形態】
【００１９】
以下に、本発明の実施の形態について図面を参照して説明する。
【００２０】
図１は、本発明の情報読取装置の実施の一形態を示す図であり、（ａ）は全体の構成を示す図、（ｂ）は（ａ）に示したシールド板４０に形成された孔部４１ａ〜４１ｅの位置を示す図である。
【００２１】
本形態は図１（ａ）に示すように、搬送経路５０上を搬送されてくるＲＦ−ＩＤメディアとなるＩＣタグ６０から情報を読み取ることによってこのＩＣタグ６０の検査を行うものである。ＩＣタグ６０が搬送されてくる搬送経路５０上には、ＩＣタグ６０から情報を読み取る読取手段となるリーダ／ライタ１０ａ〜１０ｅが設けられており、また、搬送経路５０上を搬送されてくるＩＣタグ６０とリーダ／ライタ１０ａ〜１０ｅとの間には、電波を遮蔽することによってリーダ／ライタ１０ａ〜１０ｅにおけるＩＣタグ６０からの情報の読み取りを不能とするシールド部材となるシールド板４０が介在している。リーダ／ライタ１０ａ〜１０ｅは、制御部３０に接続されている。ＩＣタグ６０には、識別情報となるタグＩＤが書き込まれており、リーダ／ライタ１０ａ〜１０ｅにてこのタグＩＤがＩＣタグ６０から読み取られることにより、制御部３０にてＩＣタグ６０の良品／不良品の判定が行われる。
【００２２】
本形態においては、ＩＣタグ６０が搬送経路５０上を５列になって搬送されてくる。そして、図１（ｂ）に示すように、シールド板４０には、このＩＣタグ６０の５つの搬送列毎に、１つのＩＣタグ６０のみがリーダ／ライタ１０ａ〜１０ｅ側に表出するように孔部４１ａ〜４１ｅが形成されている。この孔部４１ａ〜４１ｅは、搬送経路５０上を搬送されてくるＩＣタグ６０の搬送方向に直交する方向に全てが並んで形成されているのではなく、また、その方向について図６に示したもののように全てが互いに異なる位置に形成されているのではなく、その方向について、互いに隣接しない搬送列に対応する孔部４１ａと孔部４１ｄとが並んで形成され、互いに隣接しない搬送列に対応する孔部４１ｂと孔部４１ｅとが並んで形成されるというように、千鳥状に形成されている。
【００２３】
リーダ／ライタ１０ａ〜１０ｅのそれぞれは、これら孔部４１ａ〜４１ｅと対向するように設けられており、孔部４１ａ〜４１ｅに対向する領域に搬送されてきたＩＣタグ６０からタグＩＤを読み取る。孔部４１ａ〜４１ｅに対向する領域に搬送されてきたＩＣタグ６０は、この孔部４１ａ〜４１ｅを介してリーダ／ライタ１０ａ〜１０ｅ側に表出するため、リーダ／ライタ１０ａ〜１０ｅにおいては、シールド板４０の影響を受けることなく、孔部４１ａ〜４１ｅに対向する領域に搬送されてきたＩＣタグ６０から孔部４１ａ〜４１ｅを介してタグＩＤを読み取ることができる。
【００２４】
制御部３０は、リーダ／ライタ１０ａ〜１０ｅにおけるタグＩＤの読み取り動作を制御するものである。制御部３０には、トリガセンサ２０が接続されており、このトリガセンサ２０にてＩＣタグ６０が検出されたタイミングに基づいて、リーダ／ライタ１０ａ〜１０ｅにてＩＣタグ６０からタグＩＤの読み取り動作を実行する。
【００２５】
上記のように構成された情報読取装置においては、搬送経路５０上をＩＣタグ６０が５列になって搬送されてきて、その５列のそれぞれについて、シールド板４０に形成された孔部４１ａ〜４１ｅに対向する領域にてリーダ／ライタ１０ａ〜１０ｅによってＩＣタグ６０からタグＩＤが読み取られることになるが、孔部４１ａ〜４１ｅのそれぞれが、ＩＣタグ６０の搬送列毎に１つのＩＣタグ６０のみが表出するものであって、その周囲にはシールド板４０が存在していることにより、リーダ／ライタ１０ａ〜１０ｅのそれぞれにおいて、読み取り対象となるＩＣタグ６０に隣接するＩＣタグ６０からもタグＩＤを読み取ってしまうことが回避される。また、孔部４１ａ〜４１ｅが、搬送経路５０上を搬送されてくるＩＣタグ６０の搬送方向に直交する方向について図６に示したもののように全てが互いに異なる位置に形成されているのではなく、搬送経路５０上を搬送されてくるＩＣタグ６０の搬送方向に直交する方向について、互いに隣接しない搬送列に対応する孔部４１ａと孔部４１ｄとが並んで形成され、互いに隣接しない搬送列に対応する孔部４１ｂと孔部４１ｅとが並んで形成されるというように、千鳥状に形成されていることにより、シールド板４０のＩＣタグ６０の搬送方向の長さを、ＩＣタグ６０の列数分とすることがなく、装置が大型化してしまうことがない。
【００２６】
以下に、上述した情報読取装置の詳細な動作について説明する。
【００２７】
図２は、図１に示した情報読取装置の詳細な動作を説明するための図であり、図３は、図１に示したリーダ／ライタ１０ａ〜１０ｅにおけるタグＩＤの読み取りタイミングを示す図である。なお、図２においては、リーダ／ライタ１０ａ〜１０ｅの記載は省略しているが、上述したように孔部４１ａ〜４１ｅに対向するようにリーダ／ライタ１０ａ〜１０ｅが設けられている。
【００２８】
図２に示すように、ＩＣタグは、搬送経路５０上を、ＩＣタグ６０ａ−１，６０ａ−２，・・・が１列をなし、ＩＣタグ６０ｂ−１，６０ｂ−２，・・・が１列をなし、ＩＣタグ６０ｃ−１，６０ｃ−２，・・・が１列をなし、ＩＣタグ６０ｄ−１，６０ｄ−２，・・・が１列をなし、ＩＣタグ６０ｅ−１，６０ｅ−２，・・・が１列をなすように５列で搬送されてくる。そして、トリガセンサ２０にて５列の先頭のＩＣタグ６０ａ−１，６０ｂ−１，６０ｃ−１，６０ｄ−１，６０ｅ−１が検出されると、制御部３０において、ＩＣタグ６０ａ−１，６０ｂ−１，６０ｃ−１，６０ｄ−１，６０ｅ−１が、トリガセンサ２０にて検出された位置から、孔部４１ｂ，４１ｅが並ぶ領域まで搬送されるまでのタクトが経過したタイミングにおいて、まず、孔部４１ｂ，４１ｅに対向するリーダ／ライタ１０ｂ，１０ｅからの電波出力をＯＮとする制御が行われ、リーダ／ライタ１０ｂ，１０ｅのみにてタグＩＤの読み取り動作が実行される。
【００２９】
ＩＣタグ６０ａ−１，６０ｂ−１，６０ｃ−１，６０ｄ−１，６０ｅ−１が、孔部４１ｂ，４１ｅが並ぶ領域に搬送されたタイミングにおいては、図２（ａ）に示すように、孔部４１ａ〜４１ｅのうち、孔部４１ｂ，４１ｅのみにてＩＣタグ６０ｂ−１，６０ｅ−１がリーダ／ライタ１０ｂ，１０ｅ側に表出している。この状態において、リーダ／ライタ１０ｂ，１０ｅのみにてタグＩＤの読み取り動作が実行されることにより、リーダ／ライタ１０ａ〜１０ｅのうち、対向する領域にＩＣタグが搬送されてきているリーダ／ライタのみにてタグＩＤの読み取り動作が実行されることになる。
【００３０】
その後、リーダ／ライタ１０ｂ，１０ｅにおいては、図３に示すように、制御部３０の制御によって、ＩＣタグ６０ａ−１，６０ａ−２，・・・，６０ｂ−１，６０ｂ−２，・・・，６０ｃ−１，６０ｃ−２，・・・，６０ｄ−１，６０ｄ−２，・・・，６０ｅ−１，６０ｅ−２，・・・が、その搬送方向におけるピッチだけ搬送されるタイミング毎に、タグＩＤの読み取り動作が行われることになる。リーダ／ライタ１０ｂ，１０ｅに対向する孔部４１ｂ，４１ｅには、ＩＣタグ６０ｂ−１，６０ｅ−１がこの孔部４１ｂ，４１ｅを介してリーダ／ライタ１０ｂ，１０ｅ側に表出した後は、ＩＣタグ６０ｂ−１，６０ｅ−１を先頭とする搬送列のＩＣタグ６０ｂ−２，６０ｂ−３，・・・，６０ｅ−２，６０ｅ−３，・・・が順次リーダ／ライタ１０ｂ，１０ｅ側に表出するため、リーダ／ライタ１０ｂ，１０ｅにて読み取り動作が実行される際に、対向する領域にＩＣタグが存在しないことはない。
【００３１】
また、制御部３０において、ＩＣタグ６０ａ−１，６０ｂ−１，６０ｃ−１，６０ｄ−１，６０ｅ−１が、トリガセンサ２０にて検出された位置から、孔部４１ａ，４１ｄが並ぶ領域まで搬送されるまでのタクトが経過したタイミングにおいて、孔部４１ａ，４１ｄに対向するリーダ／ライタ１０ａ，１０ｄからの電波出力をＯＮとする制御が行われ、リーダ／ライタ１０ｂ，１０ｅに加えて、リーダ／ライタ１０ａ，１０ｄにてタグＩＤの読み取り動作が実行される。
【００３２】
ＩＣタグ６０ａ−１，６０ｂ−１，６０ｃ−１，６０ｄ−１，６０ｅ−１が、孔部４１ａ，４１ｄが並ぶ領域に搬送されたタイミングにおいては、図２（ｂ）に示すように、孔部４１ａ，４１ｄを介してＩＣタグ６０ａ−１，６０ｄ−１がリーダ／ライタ１０ａ，１０ｄ側に表出するようになる。この状態において、リーダ／ライタ１０ｂ，１０ｅに加えてリーダ／ライタ１０ａ，１０ｄにてタグＩＤの読み取り動作が実行されることにより、リーダ／ライタ１０ａ〜１０ｅのうち、対向する領域にＩＣタグが搬送されてきているリーダ／ライタのみにてタグＩＤの読み取り動作が実行されることになる。
【００３３】
その後、リーダ／ライタ１０ａ，１０ｄにおいては、図３に示すように、制御部３０の制御によって、ＩＣタグ６０ａ−１，６０ａ−２，・・・，６０ｂ−１，６０ｂ−２，・・・，６０ｃ−１，６０ｃ−２，・・・，６０ｄ−１，６０ｄ−２，・・・，６０ｅ−１，６０ｅ−２，・・・が、その搬送方向におけるピッチだけ搬送されるタイミング毎に、タグＩＤの読み取り動作が行われることになる。リーダ／ライタ１０ａ，１０ｄに対向する孔部４１ａ，４１ｄには、ＩＣタグ６０ａ−１，６０ｄ−１がこの孔部４１ａ，４１ｄを介してリーダ／ライタ１０ａ，１０ｄ側に表出した後は、ＩＣタグ６０ａ−１，６０ｄ−１を先頭とする搬送列のＩＣタグ６０ａ−２，６０ａ−３，・・・，６０ｄ−２，６０ｄ−３，・・・が順次リーダ／ライタ１０ａ，１０ｄ側に表出するため、リーダ／ライタ１０ａ，１０ｄにて読み取り動作が実行される際に、対向する領域にＩＣタグが存在しないことはない。
【００３４】
また、制御部３０において、ＩＣタグ６０ａ−１，６０ｂ−１，６０ｃ−１，６０ｄ−１，６０ｅ−１が、トリガセンサ２０にて検出された位置から、孔部４１ｃと並ぶ領域に搬送されるまでのタクトが経過したタイミングにおいて、孔部４１ｃに対向するリーダ／ライタ１０ｃからの電波出力をＯＮとする制御が行われ、リーダ／ライタ１０ａ，１０ｂ，１０ｄ，１０ｅに加えて、リーダ／ライタ１０ｃにてタグＩＤの読み取り動作が実行される。
【００３５】
ＩＣタグ６０ａ−１，６０ｂ−１，６０ｃ−１，６０ｄ−１，６０ｅ−１が、孔部４１ｃと並ぶ領域に搬送されたタイミングにおいては、図２（ｃ）に示すように、孔部４１ｃを介してＩＣタグ６０ｃ−１がリーダ／ライタ１０ｃ側に表出するようになる。この状態において、リーダ／ライタ１０ａ，１０ｂ，１０ｄ，１０ｅに加えてリーダ／ライタ１０ｃにてタグＩＤの読み取り動作が実行されることにより、全てのリーダ／ライタ１０ａ〜１０ｅにてタグＩＤの読み取り動作が実行されることになる。
【００３６】
その後、リーダ／ライタ１０ｃにおいては、図３に示すように、制御部３０の制御によって、ＩＣタグ６０ａ−１，６０ａ−２，・・・，６０ｂ−１，６０ｂ−２，・・・，６０ｃ−１，６０ｃ−２，・・・，６０ｄ−１，６０ｄ−２，・・・，６０ｅ−１，６０ｅ−２，・・・が、その搬送方向におけるピッチだけ搬送されるタイミング毎に、タグＩＤの読み取り動作が行われることになる。リーダ／ライタ１０ｃに対向する孔部４１ｃには、ＩＣタグ６０ｃ−１がこの孔部４１ｃを介してリーダ／ライタ１０ｃ側に表出した後は、ＩＣタグ６０ｃ−１を先頭とする搬送列のＩＣタグ６０ｃ−２，６０ｃ−３，・・・が順次リーダ／ライタ１０ｃ側に表出するため、リーダ／ライタ１０ｃにて読み取り動作が実行される際に、対向する領域にＩＣタグが存在しないことはない。
【００３７】
図４は、図１に示した情報読取装置におけるＩＣタグからのタグＩＤの読み取り結果を示す図である。なお、図４においては、ＩＣタグから読み取られたタグＩＤを、そのＩＣタグの符号を用いて記載している。
【００３８】
上述したように、制御部３０の制御によって、リーダ／ライタ１０ａ〜１０ｅ毎に、このリーダ／ライタ１０ａ〜１０ｅにてタグＩＤを読み取るＩＣタグの列の先頭となって搬送されてくるＩＣタグ６０ａ−１，６０ｂ−１，６０ｃ−１，６０ｄ−１，６０ｅ−１がそれぞれ孔部４１ａ〜４１ｅからリーダ／ライタ１０ａ〜１０ｅ側に表出するタイミングまでタグＩＤの読み取りを実行せず、先頭となって搬送されてくるＩＣタグ６０ａ−１，６０ｂ−１，６０ｃ−１，６０ｄ−１，６０ｅ−１が孔部４１ａ〜４１ｅからリーダ／ライタ１０ａ〜１０ｅ側に表出してからタグＩＤの読み取りを実行することにより、図４に示すように、ＩＣタグの搬送列毎に、１番目に搬送されてくるＩＣタグ６０ａ−１，６０ｂ−１，６０ｃ−１，６０ｄ−１，６０ｅ−１からは、その搬送列に対応するリーダ／ライタ１０ａ〜１０ｅにおける１回目の読み取り動作にてタグＩＤが読み取られ、２番目に搬送されてくるＩＣタグ６０ａ−２，６０ｂ−２，６０ｃ−２，６０ｄ−２，６０ｅ−２からは、その搬送列に対応するリーダ／ライタにおける２回目の読み取り動作にてタグＩＤが読み取られるというように、搬送列間にて、リーダ／ライタ１０ａ〜１０ｅにおける情報の読み取り順序と搬送経路５０上の搬送順序とが合うことになる。
【００３９】
ここで、例えば、図２（ａ）に示した状態においては、孔部４１ａ，４１ｃ，４１ｄに対向する領域にはＩＣタグが搬送されてきていないため、その状態でリーダ／ライタ１０ａ，１０ｃ，１０ｄにてリーダ／ライタ１０ｂ，１０ｅとともに読み取り動作が実行されてしまうと、リーダ／ライタ１０ａ，１０ｃ，１０ｄにおいてはＩＣタグからタグＩＤが読み取られないことになる。制御部３０においては、リーダ／ライタ１０ａ〜１０ｅにてタグＩＤが読み取られない場合は、そのリーダ／ライタ１０ａ〜１０ｅにてタグＩＤの読み取りを行ったとされるＩＣタグが不良品であると判定されてしまうため、リーダ／ライタ１０ａ，１０ｃ，１０ｄにてタグＩＤの読み取りを行う搬送列の先頭となるＩＣタグが不良品と判定されてしまう。
【００４０】
そこで、上述したように、リーダ／ライタ１０ａ〜１０ｅにてＩＣタグからタグＩＤを読み取るタイミングを、搬送列毎に孔部４１ａ〜４１ｅの位置に応じたものとすることにより、リーダ／ライタ１０ａ〜１０ｅに対向する領域にＩＣタグが存在しないことによってタグＩＤの読み取りができなくなることが回避され、リーダ／ライタ１０ａ〜１０ｅ間の読み取り結果にずれが生じることがなくなる。それにより、良品であるＩＣタグが不良品として管理されたり、ＩＣタグが搬送経路５０上を搬送されてくる状態にてＩＣタグに対して処理を行う他の工程にて不具合が生じたりすることがなくなる。
【００４１】
なお、本形態においては、ＩＣタグ６０が搬送経路５０上を５列になって搬送されてくる場合を例に挙げて説明したが、ＩＣタグ６０が搬送経路５０上を３列以上の列をなして搬送されてくるものであれば、シールド板４０に孔部を千鳥状に形成することによる上述した効果を得ることができる。
【００４２】
（他の実施の形態）
図６は、本発明の情報読取装置の他の実施の形態を示す図であり、シールド板２４０の構成のみを示す。
【００４３】
本形態は図６に示すように、図１に示したものに対して、シールド板２４０に形成された孔部２４１ａ〜２４１ｂが、ＩＣタグ２６０の搬送方向にＩＣタグ２６０のピッチの２倍の距離ずつずれている点のみが異なるものである。
【００４４】
シールド板２４０をこのような構成とすることにより、搬送経路２５０上を複数列になって搬送されてくるＩＣタグ２６０に対して検査を行う場合に、列の前後のＩＣタグ２６０から情報を読み取ってしまうことを回避することができるとともに、隣接する列のＩＣタグ２６０から情報を読み取ってしまうことも回避することができる。
【００４５】
なお、上述した実施の形態においては、シールド板４０，２４０に形成された孔部４１ａ〜４１ｅ，２４１ａ〜２４１ｅが、全ての孔部４１ａ〜４１ｅ，２４１ａ〜２４１ｅからＩＣタグ６０，２６０が表出するようなもの、すなわち、ＩＣタグ６０，２６０の搬送方向に互いにずれている孔部のずれ量が整数倍であるものとなっているが、隣接する孔部どうしがＩＣタグ６０，２６０の搬送方向にずれていれば、そのずれ量は整数倍でなくてもよい。
【００４６】
また、上述した実施の形態においては、ＩＣタグ６０，２６０の検査のためにＩＣタグ６０，２６０からタグＩＤを読み取るものを例に挙げて説明したが、搬送経路５０，２５０上を複数列となって搬送されてくるＩＣタグ６０，２６０から、ＩＣタグ６０，２６０に書き込まれた情報を読み取るものであれば、本発明を適用することができる。
【００４７】
また、ＲＦ−ＩＤメディアとしては、ＩＣタグ６０，２６０に限らずＩＣラベル等であってもよい。ＩＣラベルの場合は、連続状の剥離紙が搬送経路となって、ＩＣラベルがこの剥離紙に剥離可能に貼着された状態で剥離紙の搬送とともに搬送されてくることになる。
【符号の説明】
【００４８】
１０ａ〜１０ｅ    リーダ／ライタ
２０    トリガセンサ
３０    制御部
４０    シールド板
４１ａ〜４１ｅ    孔部
５０    搬送経路
６０，６０ａ−１〜６０ａ−６，６０ｂ−１〜６０ｂ−６，６０ｃ−１〜６０ｃ−６，６０ｄ−１〜６０ｄ−６，６０ｅ−１〜６０ｅ−６    ＩＣタグ
【図１】
2013210823.tif 000003
【図２】
2013210823.tif 000004
【図３】
2013210823.tif 000005
【図４】
2013210823.tif 000006
【図５】
2013210823.tif 000007
【図６】
2013210823.tif 000008